(57)【要約】【課題】  紙箱の蓋部を閉めた状態では、保冷体挿入口が外部に露出しないようにして外観体裁を良好とした紙箱の保冷体収納構造を提供する。【解決手段】  生菓子等の食品を収納するための紙箱１１に設けられる保冷体収納構造１２であって、紙箱１１を構成する側壁部又は天板部３１に設けられて周縁部の一部が開放状態とされ、保冷体収納部７２を形成する保冷体収納部材と、保冷体挿入口３６が形成されるとともに、前記保冷体挿入口３６が前記保冷体収納部７２に連通するように前記保冷体収納部材の開放状態の周縁部に固定される挿入口補強部材と、を備えるようにする。【選択図】図６
0003131248.tif 000002
【実用新案登録請求の範囲】
【請求項１】
生菓子等の食品を収納するための紙箱に設けられる保冷体収納構造であって、
紙箱を構成する側壁部又は天板部に設けられて周縁部の一部が開放状態とされ、保冷体収納部を形成する保冷体収納部材と、
保冷体挿入口が形成されるとともに、前記保冷体挿入口が前記保冷体収納部に連通するように前記保冷体収納部材の開放状態の周縁部に固定される挿入口補強部材と、
を備えたことを特徴とする紙箱の保冷体収納構造。
【請求項２】
紙箱の蓋部を構成する天板部と、
前記天板部に設けられて周縁部の一部が開放状態とされ、保冷体収納部を形成する保冷体収納部材と、
前記天板部の縁部に連設される蓋部側壁と、
保冷体挿入口が形成されるとともに、前記蓋部側壁に連設され、蓋部の内側方向に折り曲げられて、前記保冷体挿入口が前記保冷体収納部に連通するように前記保冷体収納部材の開放状態の周縁部に固定される挿入口補強部材と、を有し、
前記天板部に対して前記蓋部側壁を起立させることにより、前記保冷体挿入口が蓋部の内側となることを特徴とする請求項１に記載の紙箱の保冷体収納構造。
【請求項３】
前記保冷体収納部材は開放状態とされる周縁部が前記蓋部側壁に掛かるように、蓋部の内側に固定されており、
前記挿入口補強部材は、前記蓋部の内側方向に折り曲げられて、前記蓋部側壁との間に前記保冷体収納部材の開放状態の周縁部を挟持するとともに、前記保冷体挿入口より先端側の部分が前記保冷体収納部材に固定されていることを特徴とする請求項２に記載の紙箱の保冷体収納構造。
【請求項４】
前記挿入口補強部材の縁部に固定用フラップが連設されており、前記固定用フラップが前記保冷体収納部材に固定されていることを特徴とする請求項２に記載の紙箱の保冷体収納構造。
【請求項５】
前記天板部の対向する縁部に蓋部左右側壁が形成されるとともに、前記蓋部左右側壁に隣接する縁部に蓋部前側壁が形成され、隣接する前記蓋部前側壁の端部と前記蓋部左右側壁の端部との間に、折目線を介して折込フラップと連結フラップとが連設されており、前記蓋部左右側壁、前記折込フラップ及び前記連結フラップが蓋部の内側方向に折り返されるとともに、前記蓋部前側壁に連設される前記挿入口補強部材が蓋部の内側方向に折り返されて、前記挿入口補強部材の両端部と前記蓋部前側壁の両端部との間に前記折込フラップと前記連結フラップとを挟持し、かつ、前記挿入口補強部材と前記蓋部前側壁とが固定されており、
前記蓋部前側壁と前記左右両側縁部とを前記天板部に対して起立させるとともに、前記蓋部前側壁の両端部と前記挿入口補強部材の両端部との間に前記折込フラップと前記連結フラップとを折り畳んだ状態で挟持させることにより、蓋部の形状を保持することを特徴とする請求項２から４のいずれか１項に記載の紙箱の保冷体収納構造。
【請求項６】
前記挿入口補強部材に形成される保冷体挿入口は、前記挿入口補強部材と前記蓋部前側壁との間の折目線から離隔した位置に形成されており、前記挿入口補強部材と前記蓋部前側壁との固定位置は、前記保冷体挿入口より前記折目線側であることを特徴とする請求項５に記載の紙箱の保冷体収納構造。
【請求項７】
紙箱の側壁を構成する側壁部と、
前記側壁部に設けられて周縁部の上部が開放状態とされ、保冷体収納部を形成する保冷体収納部材と、
保冷体挿入口が形成されるとともに、前記側壁部の上縁部に連設され、紙箱本体の内側方向に折り曲げられて、前記保冷体挿入口が前記保冷体収納部に連通するように前記保冷体収納部材の開放状態の周縁部に固定される挿入口補強部材と、
を備えたことを特徴とする請求項１に記載の紙箱の保冷体収納構造。
【請求項８】
紙箱の前側の側壁を構成する前側壁と、
前記前側壁に設けられて周縁部の上部が開放状態とされ、保冷体収納部を形成する保冷体収納部材と、
保冷体挿入口が形成されるとともに、前記前側壁の上縁部に連設され、紙箱本体の内側方向に折り曲げられて、前記保冷体挿入口が前記保冷体収納部に連通するように前記保冷体収納部材の開放状態の周縁部に固定される挿入口補強部材と、
を備えたことを特徴とする請求項１に記載の紙箱の保冷体収納構造。
【請求項９】
前記保冷体挿入口の縁部の形状が円弧形状であることを特徴とする請求項１から８のいずれか１項に記載の紙箱の保冷体収納構造。
【請求項１０】
前記保冷体挿入口の縁部に波型の凹凸を形成したことを特徴とする請求項１から９のいずれか１項に記載の紙箱の保冷体収納構造。
【請求項１１】
前記保冷体挿入口の端部から外側方向に向けて破断用のミシン目が形成されたことを特徴とする請求項１から１０のいずれか１項に記載の紙箱の保冷体収納構造。
【考案の詳細な説明】
【技術分野】
【０００１】
本考案は、紙箱の保冷体収納構造に関し、より詳細には、低温度に保つ必要のあるケーキなど保冷食品を収納する紙箱の保冷体収納構造に関する。
【背景技術】
【０００２】
従来、低温下で持ち運びする必要のあるケーキなど生菓子類を収納する紙箱にあっては、生菓子類を低温に保つため、アイスパック（水や保冷剤をビニールシート等で密封包装したパック状のものを凍らせたもの）やドライアイスなどの保冷体を生菓子類と一緒に紙箱に収納することが行われている。保冷体を紙箱内の天井部分に収納保持するものとして、例えば、紙箱の天板部の内面に、シート状材の一方向のみが開放状態となるように周縁部を貼着し、紙箱の天板部内面とシート状材との間に保冷体を収納保持する保冷体収納部を形成したものが知られている（例えば、特許文献１参照。）。
【０００３】
上記特許文献１に記載の紙箱では、紙箱を製造する装置により大量生産すると、保冷体収納部のシート状材は天板部の内面に緩み無くピッタリと貼り付けられて挿入口を広げにくく、また、保冷体収納部の挿入口を開放状態に保持することが困難であった。また、天板部とシート状材との間に余裕がなく、保冷体は厚みがあるため保冷体収納部に保冷体を挿入し難く、保冷体の収納に手数を要するという問題があった。また、保冷体収納部に保冷体を挿入する際に側壁が手に接触して邪魔になり、保冷体を挿入し難いという問題もあった。そこで、保冷体を容易に収納できるようにするために、紙箱の天板部にシート状材の周縁部を貼着して、紙箱の天板部内面とシート状材との間に保冷体を収納保持する保冷体収納部を形成し、天板部の外面に保冷体を挿入するための保冷体挿入口を設けたものが開発されている（例えば、特許文献２参照。）。
【特許文献１】特開２００５−５３５３９号公報
【特許文献２】特開２００４−３５９３１２号公報
【考案の開示】
【考案が解決しようとする課題】
【０００４】
しかしながら、上記特許文献２に記載の紙箱では、保冷体を挿入するための保冷体挿入口が天板部の外面に設けられており、紙箱の蓋部を閉めた状態でも保冷体挿入口は外部に露出したままの状態である。このため、紙箱の外観体裁が良好でないという問題がある。また、紙箱の蓋部を閉めた状態でも保冷体挿入口は外部に露出したままの状態であるため、保冷体収納部に収納された保冷体や、キャンドル、手拭き、ケーキカッター等の収納された物品が紙箱を持ち帰る途中で保冷体挿入口から不用意に落下するという問題もあった。
【０００５】
本考案は前記課題に鑑みてなされたものであって、紙箱の蓋部を閉めた状態では保冷体挿入口が外部に露出しないようにして紙箱の外観体裁を良好とし、保冷体収納部の保冷体挿入口を開放状態に保持して保冷体を容易に挿入でき、しかも、保冷体収納部に収納した保冷体が不用意に落下しないようにした、紙箱の保冷体収納構造を提供することを課題とする。
【課題を解決するための手段】
【０００６】
本考案の解決しようとする課題は以上の如くであり、次にこの課題を解決するための手段を説明する。
【０００７】
即ち、請求項１に記載の考案では、生菓子等の食品を収納するための紙箱に設けられる保冷体収納構造であって、
紙箱を構成する側壁部又は天板部に設けられて周縁部の一部が開放状態とされ、保冷体収納部を形成する保冷体収納部材と、
保冷体挿入口が形成されるとともに、前記保冷体挿入口が前記保冷体収納部に連通するように前記保冷体収納部材の開放状態の周縁部に固定される挿入口補強部材と、
を備えたことを特徴とする紙箱の保冷体収納構造とした。
【０００８】
請求項２に記載の考案では、請求項１において、紙箱の蓋部を構成する天板部と、
前記天板部に設けられて周縁部の一部が開放状態とされ、保冷体収納部を形成する保冷体収納部材と、
前記天板部の縁部に連設される蓋部側壁と、
保冷体挿入口が形成されるとともに、前記蓋部側壁に連設され、蓋部の内側方向に折り曲げられて、前記保冷体挿入口が前記保冷体収納部に連通するように前記保冷体収納部材の開放状態の周縁部に固定される挿入口補強部材と、を有し、
前記天板部に対して前記蓋部側壁を起立させることにより、前記保冷体挿入口が蓋部の内側となることを特徴とする紙箱の保冷体収納構造とした。
【０００９】
請求項３に記載の考案では、請求項２において、前記保冷体収納部材は開放状態とされる周縁部が前記蓋部側壁に掛かるように、蓋部の内側に固定されており、
前記挿入口補強部材は、前記蓋部の内側方向に折り曲げられて、前記蓋部側壁との間に前記保冷体収納部材の開放状態の周縁部を挟持するとともに、前記保冷体挿入口より先端側の部分が前記保冷体収納部材に固定されていることを特徴とする紙箱の保冷体収納構造とした。
【００１０】
請求項４に記載の考案では、請求項２に記載の考案において、前記挿入口補強部材の縁部に固定用フラップが連設されており、前記固定用フラップが前記保冷体収納部材に固定されていることを特徴とする紙箱の保冷体収納構造とした。
【００１１】
請求項５に記載の考案では、請求項２から４のいずれか１項に記載の考案において、前記天板部の対向する縁部に蓋部左右側壁が形成されるとともに、前記蓋部左右側壁に隣接する縁部に蓋部前側壁が形成され、隣接する前記蓋部前側壁の端部と前記蓋部左右側壁の端部との間に、折目線を介して折込フラップと連結フラップとが連設されており、前記蓋部左右側壁、前記折込フラップ及び前記連結フラップが蓋部の内側方向に折り返されるとともに、前記蓋部前側壁に連設される前記挿入口補強部材が蓋部の内側方向に折り返されて、前記挿入口補強部材の両端部と前記蓋部前側壁の両端部との間に前記折込フラップと前記連結フラップとを挟持し、かつ、前記挿入口補強部材と前記蓋部前側壁とが固定されており、
前記蓋部前側壁と前記左右両側縁部とを前記天板部に対して起立させるとともに、前記蓋部前側壁の両端部と前記挿入口補強部材の両端部との間に前記折込フラップと前記連結フラップとを折り畳んだ状態で挟持させることにより、蓋部の形状を保持することを特徴とする紙箱の保冷体収納構造とした。
【００１２】
請求項６に記載の考案では、請求項５に記載の考案において、前記挿入口補強部材に形成される保冷体挿入口は、前記挿入口補強部材と前記蓋部前側壁との間の折目線から離隔した位置に形成されており、前記挿入口補強部材と前記蓋部前側壁との固定位置は、前記保冷体挿入口より前記折目線側であることを特徴とする紙箱の保冷体収納構造とした。
【００１３】
請求項７に記載の考案では、請求項１に記載の考案において、紙箱の側壁を構成する側壁部と、
前記側壁部に設けられて周縁部の上部が開放状態とされ、保冷体収納部を形成する保冷体収納部材と、
保冷体挿入口が形成されるとともに、前記側壁部の上縁部に連設され、紙箱本体の内側方向に折り曲げられて、前記保冷体挿入口が前記保冷体収納部に連通するように前記保冷体収納部材の開放状態の周縁部に固定される挿入口補強部材と、
を備えたことを特徴とする紙箱の保冷体収納構造とした。
【００１４】
請求項８に記載の考案では、請求項１に記載の考案において、紙箱の前側の側壁を構成する前側壁と、
前記前側壁に設けられて周縁部の上部が開放状態とされ、保冷体収納部を形成する保冷体収納部材と、
保冷体挿入口が形成されるとともに、前記前側壁の上縁部に連設され、紙箱本体の内側方向に折り曲げられて、前記保冷体挿入口が前記保冷体収納部に連通するように前記保冷体収納部材の開放状態の周縁部に固定される挿入口補強部材と、
を備えたことを特徴とする紙箱の保冷体収納構造とした。
【００１５】
請求項９に記載の考案では、請求項１から８のいずれか１項に記載の考案において、前記保冷体挿入口の縁部の形状が円弧形状であることを特徴とする紙箱の保冷体収納構造とした。
【００１６】
請求項１０に記載の考案では、請求項１から９のいずれか１項に記載の考案において、前記保冷体挿入口の縁部に波型の凹凸を形成したことを特徴とする紙箱の保冷体収納構造とした。
【００１７】
請求項１１に記載の考案では、請求項１から１０のいずれか１項に記載の考案において、前記保冷体挿入口の端部から外側方向に向けて破断用のミシン目が形成されたことを特徴とする紙箱の保冷体収納構造とした。
【考案の効果】
【００１８】
本考案の効果として、以下に示すような効果を奏する。
【００１９】
請求項１に記載の考案によれば、挿入口補強部材に形成された保冷体挿入口が保冷体収納部に連通するように固定されているため、挿入口補強部材を手指等で保持して、保冷体挿入口を開放状態に保持しやすく、保冷体を挿入しやすい。また、この状態では保冷体を挿入する際に他の側壁等が手に接触して邪魔になるということもなく、保冷体を保冷体収納部に容易に挿入することができる。
次に蓋部を紙箱本体に対して閉じると、前記保冷体挿入口が紙箱の内側となり、前記保冷体挿入口は外部に露出しないため、紙箱の外観体裁を良好とすることができる。
【００２０】
請求項２に記載の考案によれば、挿入口補強部材が蓋部の内側方向に折り曲げられており、挿入口補強部材に形成された保冷体挿入口が保冷体収納部に連通するように固定されているため、挿入口補強部材を手指等で保持して保冷体挿入口を開放状態に保持しやすく、保冷体を挿入しやすい。また、蓋部側壁を天板部に対して起立させていない状態では、保冷体挿入口と保冷体収納部の内部とは略真っ直ぐに連通しており、保冷体挿入口から保冷体を挿入しやすい。また、この状態では保冷体を挿入する際に蓋部側壁が手に接触して邪魔になるということもなく、保冷体を保冷体収納部に容易に挿入することができる。
次に天板部に対して蓋部側壁を起立させることにより、前記保冷体挿入口が蓋部の内側となるため、紙箱の蓋部を閉じると前記保冷体挿入口は蓋部の内側に隠されて外部に露出しないため、紙箱の外観体裁を良好とすることができる。
【００２１】
請求項３に記載の考案によれば、挿入口補強部材と蓋部側壁との間に保冷体収納部材の開放状態の周縁部が挟持され、挿入口補強部材の保冷体挿入口より先端側の部分が保冷体収納部材に固定されているため、保冷体を挿入するため保冷体挿入口を広げた際に保冷体収納部材も連動して広がり、また、広げた状態を保持しやすく、保冷体を保冷体収納部に容易かつ確実に収納することができる。また、天板部に対して蓋部側壁を起立させた状態では、保冷体収納部の開放側が屈曲して保冷体収納部が閉鎖されて、収納された保冷体が不用意に落下しないようにすることができ、さらに紙箱の蓋部を閉じると紙箱の側壁によって保冷体収納部の屈曲部が押さえられるため、より確実に保冷体の落下を防止することができる。
【００２２】
請求項４に記載の考案によれば、挿入口補強部材の縁部に固定用フラップが連設されており、固定用フラップを保冷体収納部材に固定する。固定用フラップを保冷体収納部材に固定することは容易であるため、挿入口補強部材の幅が狭く保冷体収納部材に固定し難い場合であっても、固定用フラップを保冷体収納部材に固定することにより、保冷体挿入口より先端側の部分が保冷体収納部材に固定されていることとなるため、保冷体挿入口を広げた際に保冷体収納部材が連動して広がり、また、広げた状態を保持しやすく、保冷体を保冷体収納部に容易かつ確実に収納することができる。これは、挿入口補強部材の上下方向の幅が狭く、紙箱の製造装置によって挿入口補強部材の保冷体挿入口より先端側の部分を保冷体収納部材に固定するために必要な寸法が確保できない場合に、紙箱の製造装置が必要とする寸法を確保するための構造であり、固定用フラップを形成することで固定が容易となり、製造装置による大量生産が容易となるため、安価に紙箱を提供することができる。
【００２３】
請求項５に記載の考案によれば、蓋部左右側壁、折込フラップ及び連結フラップが蓋部の内側方向に折り返されるとともに、蓋部前側壁に連設される挿入口補強部材が蓋部の内側方向に折り返されて、挿入口補強部材の両端部と蓋部前側壁の両端部との間に折込フラップと連結フラップとを挟持し、かつ、挿入口補強部材と蓋部前側壁とが固定されているため、蓋部前側壁を天板部に対して起立させていない状態では、保冷体挿入口と保冷体収納部の内部とは略真っ直ぐに連通しており、保冷体挿入口から保冷体を挿入しやすい。また、この状態では保冷体を挿入する際に蓋部前側壁が手に接触して邪魔になるということもなく、保冷体を保冷体収納部に容易に挿入することができる。
次に、蓋部前側壁と左右両側縁部とを天板部に対して起立させるとともに、蓋部前側壁の両端部と挿入口補強部材の両端部との間に折込フラップと連結フラップとを折り畳んだ状態で挟持させることにより、蓋部の形状を保持するようにしたため、簡単な操作で紙箱の蓋部を組み立てることができるとともに、蓋部の組み立てと同時に保冷体収納部の開放側が屈曲して保冷体収納部が閉鎖されるため、収納された保冷体が不用意に落下しないようにすることができる。
【００２４】
請求項６に記載の考案によれば、挿入口補強部材に形成される保冷体挿入口は、挿入口補強部材と蓋部前側壁との間の折目線から離隔した位置に形成されており、挿入口補強部材と蓋部前側壁との固定位置は、保冷体挿入口より折目線側であることとしたため、挿入口補強部材と蓋部前側壁との固定位置を避けて保冷体挿入口を左右方向に広げて形成することができ、保冷体を挿入する際に保冷体挿入口が広がりやすくなって、容易に保冷体を保冷体収納部に収納することができる。
【００２５】
請求項７に記載の考案によれば、側壁部の上縁部に連設され、保冷体挿入口が形成された挿入口補強部材が、紙箱本体の内側方向に折り曲げられて、前記保冷体挿入口が前記保冷体収納部に連通するように前記保冷体収納部材の開放状態の周縁部に固定されているため、挿入口補強部材を手指等で保持して保冷体挿入口を開放状態に保持しやすく、保冷体を挿入しやすい。また、この状態では保冷体を挿入する際に他の側壁部等が手に接触して邪魔になるということもなく、保冷体を保冷体収納部に容易に挿入することができる。
次に紙箱本体に対して蓋部を閉じることにより、前記保冷体挿入口は蓋部の内側に隠されて外部に露出しないため、紙箱の外観体裁を良好とすることができる。
【００２６】
請求項８に記載の考案によれば、前側壁の上縁部に連設され、保冷体挿入口が形成された挿入口補強部材が、紙箱本体の内側方向に折り曲げられて、前記保冷体挿入口が前記保冷体収納部に連通するように前記保冷体収納部材の開放状態の周縁部に固定されているため、挿入口補強部材を手指等で保持して保冷体挿入口を開放状態に保持しやすく、保冷体を挿入しやすい。また、この状態では保冷体を挿入する際に左右側壁等が手に接触して邪魔になるということもなく、保冷体を保冷体収納部に容易に挿入することができる。
次に紙箱本体に対して蓋部を閉じることにより、前記保冷体挿入口は蓋部の内側に隠されて外部に露出しないため、紙箱の外観体裁を良好とすることができる。
【００２７】
請求項９に記載の考案によれば、保冷体挿入口の縁部の形状を円弧形状としたため、保冷体を挿入する際に保冷体挿入口が広がりやすくなって、容易に保冷体を保冷体収納部に収納することができる。
【００２８】
請求項１０に記載の考案によれば、保冷体挿入口の縁部に波型の凹凸を形成したため、保冷体を挿入する際に保冷体挿入口の縁部が使用者の手指に接触しても手指に優しく、手指の傷付きを防止し、保冷体を挿入する際の安全性を高めることができる。
【００２９】
請求項１１に記載の考案によれば、保冷体挿入口の端部から外側方向に向けて破断用のミシン目が形成されたため、保冷体収納部に収納された保冷体のほか、キャンドル、手拭き、ケーキカッター等の物品を取り出す際に、保冷体挿入口を大きく広げることによってミシン目が破断し、保冷体挿入口の周囲を容易に大きく広げることができるため、保冷体収納部に収納された物品を容易に取り出すことができる。
【考案を実施するための最良の形態】
【００３０】
次に、考案の実施の形態について図を用いて説明する。
【実施例１】
【００３１】
本考案の実施例１に係る紙箱の保冷体収納構造１２について、図１から図９を用いて説明する。
【００３２】
実施例１に係る紙箱の保冷体収納構造１２は、図１に示す紙箱展開形成体１３を組み立てて形成されるものであり、生菓子等の食品を収納するための紙箱１１に設けられるものである。紙箱１１は、板紙、段ボールなどの厚紙で形成されている。本実施例に係る紙箱１１は、図５に示すように、紙箱本体１４に蓋部１５が開閉自在に連設されているサイドオープン型の紙箱である。紙箱１１は折り畳まれた半完成状態で菓子店等に納品され（図５参照）、生菓子等を収納する前に最終の組み立てが行われて完成状態の紙箱１１とされる。以下では、説明の容易のため、紙箱本体１４に蓋部１５が連設されている側を後側、後側に対向する側を前側とし、他方の対向する側を左右側とする。すなわち、紙箱１１の短手方向を前後とし、長手方向を左右とする。図５では図示右側が前方となる。また、上下方向は、紙箱１１を組み立てて、底板２１を下にして載置した状態で、底板２１側を下方とする。尚、本実施例の紙箱１１の平面形状は長方形であるが、正方形等の他の形状に変更してもよい。
【００３３】
図１に示す紙箱展開形成体１３に従って紙箱１１の紙箱本体１４を構成する部分を説明すると、底板２１は、紙箱１１の底部を構成する部分である。底板２１の前部の縁部には紙箱本体１４の前側の側壁を構成する前側壁２２が前側壁折目線４１を介して連設されており、底板２１の後部の縁部には紙箱本体１４の後側の側壁を構成する後側壁２３が後側壁折目線４２を介して連設されている。底板２１の左右の縁部には、紙箱本体１４の左右の側壁を構成する１対の左右側壁２４が左右側壁折目線４３を介して連設されている。前側壁２２の上部となる縁部には、挟持フラップ折目線４４を介して挟持フラップ２５が連設されており、前側壁２２の左右となる縁部には、側部フラップ折目線４５を介して１対の側部フラップ２６が連設されている。左右側壁２４の前部となる縁部には、差込フラップ折目線４６を介して差込フラップ２７が形成されており、左右側壁２４の上部となる縁部には、上部フラップ折目線４７を介して上部フラップ２８が形成されている。また、左右側壁２４の後部下端から、前部上端部及び上部フラップ２８に掛けて、左右側壁２４を折り畳む際に折り曲げられる側壁折畳用折目線４８が形成されている。後側壁２３の左右となる縁部には、支持フラップ折目線４９を介して１対の支持フラップ２９が連設されている。
【００３４】
次に、紙箱１１の蓋部１５を構成する部分を説明すると、図１に示すように、前記後側壁２３の上部に蓋部１５の天部を構成する天板部３１が蓋部連結折目線５１を介して連設されている。天板部３１の対向する左右の縁部には蓋部１５の左右の側壁を構成する蓋部左右側壁３２が蓋部左右側壁折目線５２を介して連設されている。蓋部左右側壁３２に隣接する天板部３１の前縁部には蓋部１５の前部の側壁を構成する蓋部前側壁３３が蓋部前側壁折目線５３を介して連設されている。蓋部左右側壁３２の前端部には折込フラップ折目線５４を介して折込フラップ３４が連設されており、蓋部前側壁３３の左右端部には連結フラップ折目線５５を介して連結フラップ３５が連設されており、折込フラップ３４と連結フラップ３５は折畳折目線５６を介して連結されている。蓋部前側壁３３の下端部となる部分には、保冷体挿入口３６が形成される挿入口補強部材としての蓋部内壁３７が蓋部内壁折目線５７を介して連設されている。保冷体挿入口３６は、下端部となる部分が蓋部内壁折目線５７上に形成され、上部は緩やかに上方に湾曲して形成されており、横長の半楕円形状を有している。尚、保冷体挿入口３６を形成したことによって切り取られた紙片は、保冷体挿入口３６に嵌合するように取り付けて保冷体挿入口３６を目立ち難くすることができる。蓋部内壁３７を折り曲げて蓋部前側壁３３に重ねたときに、保冷体挿入口３６が嵌合するように、前記紙片を蓋部前側壁３３に固定しておいてもよい。
【００３５】
保冷体収納部７２を形成する保冷体収納部材としてのシート状材７１は、不織布やレーヨン紙などの素材で形成される方形の部材であり、天板部３１の内面の大部分と、蓋部前側壁３３の上側の略半分とを覆う形状を有している。シート状材７１の周縁部のうち、前部の一辺は開放状態とされ、この開放状態とされる周縁部が蓋部前側壁３３に掛かるように配置される。開放状態とされた周縁部以外の他の３辺の周縁部は天板部３１の内面及び蓋部前側壁３３の内面に略凹形にシート状材取付部７３により貼着固定される。天板部３１内面とシート状材７１との間の空間が保冷体８１を収納保持する保冷体収納部７２として形成される。尚、本実施例では、保冷体収納部材は１枚のシート状材７１としたが、不織布やレーヨン紙を筒状、袋状にし、内部に保冷体収納部７２を形成したものを天板部３１に貼着固定してもよい。
【００３６】
次に、紙箱１１を半完成状態（図３参照）まで組み立てる場合について説明する。図２に示すように、蓋部左右側壁折目線５２と連結フラップ折目線５５を谷折して、蓋部左右側壁３２が天板部３１に重なるように折り返し、連結フラップ３５及び折込フラップ３４が蓋部前側壁３３に重なるように折り返す。連結フラップ３５と蓋部前側壁３３の当接部分は連結フラップ固定部６１により貼着固定する。続いて、蓋部内壁折目線５７を谷折して、蓋部内壁３７を蓋部１５の内側方向に折り返し、蓋部前側壁３３に重なるようにする。蓋部内壁３７とシート状材７１とが当接する部分は、シート状材固定部６２により貼着固定する。また、蓋部内壁３７と蓋部前側壁３３とが当接する部分は、蓋部内壁固定部６３により貼着固定する。蓋部内壁３７とシート状材７１とを貼着固定するシート状材固定部６２は、蓋部内壁３７の保冷体挿入口３６より先端側（下端側）に形成されるため、保冷体挿入口３６とシート状材７１による保冷体収納部７２とが連通し、保冷体８１を挿入するために保冷体挿入口３６を広げた際にシート部材の開放部も連動して広げられることとなる。
【００３７】
紙箱本体１４を構成する部分については、図１において、後側壁２３に対して支持フラップ折目線４９を谷折して支持フラップ２９を起立させるように折り曲げ、後側壁２３も後側壁折目線４２を谷折して底板２１に対して起立させるように折り曲げる。左右側壁２４は左右側壁折目線４３を谷折して底板２１に対して起立させるように折り曲げる。この状態では、支持フラップ２９と左右側壁２４とが重なるため、支持フラップ２９と左右側壁２４の当接する部分は左右側壁固定部６４により貼着固定する。
【００３８】
紙箱本体１４の前側壁２２については、図１において、側部フラップ折目線４５を谷折して側部フラップ２６が前側壁２２に重なるように折り返し、挟持フラップ折目線４４を谷折して挟持フラップ２５が側部フラップ２６の上から前側壁２２に重なるように折り返す。
【００３９】
この状態から、紙箱本体１４の左右の側壁を構成する左右側壁２４を側壁折畳用折目線４８線で折り曲げる。側壁折畳用折目線４８線の折り曲げは、紙箱本体１４の側方から見て谷折するように折り曲げる。同時に、後側壁折目線４２を谷折して後側壁２３が底板２１に対して重なるように折り返す。これにより、図３に示すように、紙箱１１は略半分に折り畳まれた半完成状態となる。半完成状態では、紙箱１１は厚さが薄く、コンパクトであるため、運搬や保管が容易となる。
【００４０】
次に、折り畳まれた半完成状態の紙箱１１を完成体まで組み立てる場合について説明する。図４に示すように、まず、紙箱本体１４の左右側壁２４を半分に折り畳むように折り曲げられていた側壁折畳用折目線４８線を屈曲状態から元に戻すようにして、左右側壁２４と後側壁２３とを底板２１に対して起立させる。差込フラップ２７は差込フラップ折目線４６を谷折して紙箱１１内部に向かうように折り曲げ、上部フラップ２８は上部フラップ折目線４７で谷折して紙箱１１内部に向かうように折り曲げる。続いて、前側壁折目線４１を谷折して前側壁２２を底板２１に対して起立させるようにし、側部フラップ２６と挟持フラップ２５とで形成された間隙に左右側壁２４に連設された差込フラップ２７を差し込んで挟持させることにより、図４にしめすように、紙箱本体１４が組み立てられる。このように、半完成状態から左右側壁２４、後側壁２３、前側壁２２を起立させるようにするだけで、紙箱本体１４の組み立てが完了するため、紙箱本体１４の組み立てが容易である。
【００４１】
保冷体収納部７２に保冷体８１を収納する場合について説明すると、図４の状態では、蓋部前側壁３３は天板部３１に対して折り曲げられていないため、保冷体挿入口３６から保冷体収納部７２の内部とは、略真っ直ぐに連通している。このため、保冷体挿入口３６から保冷体８１を挿入しやすい。尚、保冷体挿入口３６を広げる前は、図８（Ａ）の状態であるが、保冷体挿入口３６を手指等で広げることにより、図８（Ｂ）に示すように、蓋部内壁３７に連動してシート状材７１の開放部が大きく広がり、保冷体８１を挿入し易くなる。保冷体挿入口３６は手指等で開口した状態を保持しやすいため、保冷体８１の挿入が容易である。
【００４２】
また、この状態では、蓋部前側壁３３や蓋部左右側壁３２は天板部３１に対して起立していないため、保冷体８１を挿入する際に蓋部前側壁３３や蓋部左右側壁３２に手指が接触して邪魔になることもなく、保冷体８１を保冷体収納部７２に容易に挿入することができる。図８（Ｃ）に示すように、保冷体８１を保冷体収納部７２に収納して蓋部内壁３７を離すと、蓋部内壁３７が元の位置に戻り、シート状材７１の開放部が閉鎖される。
【００４３】
保冷体８１を保冷体収納部７２に収納して、蓋部１５を組み立てる場合について説明する。図５に示すように、蓋部左右側壁３２を天板部３１に対して引き起こして起立させるようにすると、蓋部左右側壁３２の端部は折込フラップ３４と連結フラップ３５とで蓋部前側壁３３に連結されているため、蓋部左右側壁３２とともに蓋部前側壁３３も天板部３１に対して起立していく。また、連結フラップ３５は蓋部前側壁３３に対して連結フラップ固定部６１で貼着固定されているため、蓋部前側壁３３が起立していくにつれて折畳折目線５６と折込フラップ折目線５４が折り曲げられ、折込フラップ３４のみが持ち上がって、折込フラップ３４と連結フラップ３５とが折り畳まれた状態となっていく。このとき、蓋部内壁３７は蓋部内壁固定部６３によって蓋部前側壁３３に対して貼着固定されているのであるが、蓋部内壁３７の両端部は自由端部となっているため、蓋部内壁３７の両端部が弾性変形してややめくれ上がり、これにより折込フラップ３４が持ち上げられて連結フラップ３５に対して折り畳まれていくことを許容する。折込フラップ３４と連結フラップ３５は、折り畳まれた状態では蓋部内壁３７と蓋部前側壁３３との間に挟持されることとなり、また、蓋部内壁３７が蓋部前側壁３３に貼着固定されていることによって挟持力が発揮されるため、天板部３１に対して蓋部前側壁３３と蓋部左右側壁３２とが起立した状態が保持される。蓋部１５の組み立てが完了した状態を図６に示す。
【００４４】
このように、蓋部前側壁３３と左右両側縁部とを天板部３１に対して起立させるとともに、蓋部前側壁３３の両端部と蓋部内壁３７の両端部との間に折込フラップ３４と連結フラップ３５とを折り畳んだ状態で挟持させることにより、蓋部１５の形状を保持するようにしたため、簡単な操作で紙箱１１の蓋部１５を組み立てることができる。また、蓋部１５の組み立てと同時に保冷体収納部７２の開放側が屈曲して保冷体収納部７２が閉鎖されるため、収納された保冷体８１が不用意に落下することが防止される。
【００４５】
保冷体８１を保冷体収納部７２に収納して、紙箱本体１４に対して蓋部１５を閉じた状態を図７に示す。この状態では、蓋部１５の断面は図９に示すようになっている。紙箱１１の蓋部１５を閉じると紙箱本体１４の前側壁２２によって保冷体収納部７２の屈曲部が押さえられるため、より確実に保冷体８１の落下を防止することができる。また、保冷体挿入口３６が蓋部１５の内側となるため、紙箱本体１４に対して蓋部１５を閉じると保冷体挿入口３６は蓋部１５の内側に隠されて外部に露出しないため、紙箱１１の外観体裁を良好とすることができる。
【実施例２】
【００４６】
次に、本考案の実施例２に係る紙箱の保冷体収納構造１２について図１０を用いて説明する。実施例２では、挿入口補強部材としての蓋部内壁３７、蓋部前側壁３３、蓋部左右側壁３２の上下方向の寸法が実施例１の場合と比較して短い点、その蓋部内壁３７の下端部に固定用フラップ３８が連設されている点が実施例１と大きく異なっている。実施例１と同一部分の詳しい説明は省略する。
【００４７】
図１０に示すように、蓋部前側壁３３、蓋部内壁３７の上下方向の寸法が短い場合は、紙箱１１の製造装置によって蓋部内壁３７を蓋部前側壁３３やシート状材７１に貼着固定することが困難となる。特に、小型の紙箱１１や、高さの低い紙箱１１の場合には、蓋部内壁３７の保冷体挿入口３６より先端側の部分をシート状材７１に固定するために必要な寸法が確保できないことがある。
【００４８】
このような場合に、蓋部内壁３７の下端部に固定用フラップ折目線５０を介して固定用フラップ３８を連設する。図１０に示すように、蓋部内壁折目線５７を谷折することにより、蓋部内壁３７は蓋部前側壁３３に重ねるように折り返され、固定用フラップ３８はシート状材７１の上に重ねられる。固定用フラップ３８とシート状材７１とが当接する部分は固定用フラップ固定部６５により貼着固定する。また、蓋部内壁３７と蓋部前側壁３３とが当接する部分は、蓋部内壁固定部６３により貼着固定する。
【００４９】
実施例２に記載の考案によれば、固定用フラップ３８をシート状材７１に固定することは容易であるため、蓋部内壁３７の幅が狭くシート状材７１に固定し難い場合であっても、固定用フラップ３８をシート状材７１に固定することにより、保冷体挿入口３６より先端側の部分をシート状材７１に固定することができ、保冷体挿入口３６を広げた際にシート状材７１が連動して広がり、保冷体８１を保冷体収納部７２に容易かつ確実に収納することができる。また、固定用フラップ３８を形成することで保冷体挿入口３６より先端側の部分をシート状材７１に固定することが容易となり、製造装置による大量生産が容易となるため、安価に紙箱１１を提供することができる。
【実施例３】
【００５０】
次に、本考案の実施例３に係る紙箱の保冷体収納構造１２について図１１を用いて説明する。実施例３では、保冷体挿入口３６の形成される位置、及び挿入口補強部材としての蓋部内壁３７と蓋部前側壁３３との固定位置が実施例１と大きく異なっている。実施例１と同一部分の詳しい説明は省略する。
【００５１】
図１１に示すように、蓋部内壁３７に形成される保冷体挿入口３６は、蓋部内壁３７と蓋部前側壁３３との間の蓋部内壁折目線５７から離隔した位置に形成されている。また、蓋部内壁３７と蓋部前側壁３３との固定位置である蓋部内壁固定部６３は、保冷体挿入口３６より蓋部内壁折目線５７側である。すなわち、実施例１では、蓋部内壁固定部６３は、保冷体挿入口３６の側方に形成されているのに対し、実施例３では、蓋部内壁固定部６３は、保冷体挿入口３６より蓋部内壁折目線５７側に形成されている。
【００５２】
実施例３のような構成とすることにより、蓋部内壁固定部６３を避けて保冷体挿入口３６を左右方向に広げて形成することができ、保冷体８１を挿入する際に保冷体挿入口３６が広がりやすくなって、容易に保冷体８１を保冷体収納部７２に収納することができる。
【実施例４】
【００５３】
次に、本考案の実施例４に係る紙箱の保冷体収納構造１２について図１２を用いて説明する。実施例４では、保冷体挿入口３６の端部から蓋部１５の外側方向に向けて破断用のミシン目５８が形成された点が実施例１と大きく異なっている。実施例１と同一部分の詳しい説明は省略する。
【００５４】
図１２に示すように、保冷体挿入口３６の端部から蓋部内壁折目線５７上に破断用のミシン目５８が形成されている。この構成により、保冷体収納部７２に収納された保冷体８１のほか、キャンドル、手拭き、ケーキカッター等の物品を取り出す際に、保冷体挿入口３６を大きく広げることによってミシン目５８が破断し、保冷体挿入口３６の周囲を容易に大きく広げることができるため、保冷体収納部７２に収納された物品を容易に取り出すことができる。
【００５５】
尚、ミシン目５８を形成する位置は蓋部内壁折目線５７上に限定されず、保冷体挿入口３６の端部から蓋部１５の外側方向に向かう位置であればよい。但し、ミシン目５８がシート状材７１との固定部であるシート状材固定部６２に掛かると、その部分での破断がし難くなるため、ミシン目５８を形成するのは、シート状材固定部６２を回避した位置であることが好ましい。
【実施例５】
【００５６】
次に、本考案の実施例５に係る紙箱の保冷体収納構造１２について図１３を用いて説明する。実施例６では、保冷体挿入口３６の形状が実施例１と大きく異なっている。実施例１と同一部分の詳しい説明は省略する。
【００５７】
図１３（Ａ）に示すように、保冷体挿入口３６の縁部の形状を円弧形状とすることができる。この場合、保冷体８１を挿入する際に保冷体挿入口３６が広がりやすくなって、容易に保冷体８１を保冷体収納部７２に収納することができる。
【００５８】
図１３（Ｂ）に示すように、保冷体挿入口３６の縁部に波型の凹凸を形成することができる。この場合、保冷体８１を挿入する際に保冷体挿入口３６の縁部が使用者の手指に接触しても手指に優しく、手指の傷付きを防止し、保冷体８１を挿入する際の安全性を高めることができる。
【００５９】
図１３（Ｃ）乃至（Ｅ）に示すように、保冷体挿入口３６の縁部の形状は、保冷体８１を挿入しやすい適宜の形状とすることができる。
【実施例６】
【００６０】
次に、本考案の実施例６に係る紙箱の保冷体収納構造１２について図１４、図１５を用いて説明する。実施例６では、保冷体収納部材としてのシート状材７１が紙箱本体１４の前側壁２２に取り付けられている点が他の実施例と大きく異なっている。実施例１と同一部分の詳しい説明は省略する。
【００６１】
図１４に示す紙箱展開形成体１３に従って紙箱１１の紙箱本体１４を構成する部分を説明すると、底板２１は、紙箱１１の底部を構成する部分である。底板２１の前部の縁部には紙箱本体１４の前側の側壁を構成する前側壁２２が前側壁折目線４１を介して連設されている。前側壁２２の上部となる縁部には、挟持フラップ折目線４４を介して、保冷体挿入口３６が形成される挿入口補強部材としての挟持フラップ１２５が連設されており、前側壁２２の左右となる縁部には、側部フラップ折目線４５を介して１対の側部フラップ２６が連設されている。保冷体挿入口３６は、挟持フラップ折目線４４上に形成され、横長の略楕円形状を有しており、保冷体挿入口３６の縁部には、保冷体挿入口３６を広げた状態を保持し易いように突起３９が形成されている。
【００６２】
保冷体収納部７２を形成する保冷体収納部材としてのシート状材７１は、不織布やレーヨン紙などの素材で形成される方形の部材であり、前側壁２２の大部分を覆う形状を有している。シート状材７１の周縁部のうち、上部の一辺は開放状態とされ、開放状態とされた周縁部以外の他の３辺の周縁部は前側壁２２の内面に略凹形にシート状材取付部７３により貼着固定される。天板部３１内面とシート状材７１との間の空間が保冷体８１を収納保持する保冷体収納部７２として形成される。
【００６３】
次に、紙箱１１を組み立てる場合について説明する。紙箱本体１４を構成する部分については、図１４において、後側壁２３に対して支持フラップ折目線４９を谷折して支持フラップ２９を起立させるように折り曲げ、後側壁２３も後側壁折目線４２を谷折して底板２１に対して起立させるように折り曲げる。左右側壁２４は左右側壁折目線４３を谷折して底板２１に対して起立させるように折り曲げる。この状態では、支持フラップ２９と左右側壁２４とが重なるため、支持フラップ２９と左右側壁２４の当接する部分は左右側壁固定部６４により貼着固定する。
【００６４】
紙箱本体１４の前側壁２２については、図１４において、側部フラップ折目線４５を谷折して側部フラップ２６がシート状材７１に重なるように折り返し、挟持フラップ折目線４４を谷折して挟持フラップ１２５が側部フラップ２６の上からシート状材７１に重なるように折り返す。挟持フラップ１２５とシート状材７１とが当接する部分は、シート状材固定部６２により貼着固定する。挟持フラップ１２５とシート状材７１とを貼着固定するシート状材固定部６２は、挟持フラップ１２５の保冷体挿入口３６より下端側に形成されるため、保冷体挿入口３６とシート状材７１による保冷体収納部７２とが連通し、保冷体８１を挿入するために保冷体挿入口３６を広げた際にシート部材の開放部も連動して広げられることとなる。
【００６５】
次に、蓋部１５を構成する部分については、蓋部左右側壁３２と蓋部前側壁３３が天板部３１に対して起立するように折り曲げ、蓋部前側壁３３に形成された連結フラップ３５を蓋部左右側壁３２の内面側に固定する。
【００６６】
保冷体収納部７２に保冷体８１を収納する場合について説明すると、図１５の状態では、保冷体挿入口３６から保冷体収納部７２の内部へは、略真っ直ぐに連通している。このため、保冷体挿入口３６から保冷体８１を挿入しやすい。保冷体挿入口３６を手指等で広げることにより、挟持フラップ１２５に連動してシート状材７１の開放部が大きく広がり、保冷体８１を挿入し易くなる。保冷体挿入口３６は手指等で開口した状態を保持しやすいため、保冷体８１の挿入が容易である。
【００６７】
また、この状態では、保冷体８１を挿入する際に上部フラップ２８等が手指が接触して邪魔になることもなく、保冷体８１を保冷体収納部７２に容易に挿入することができる。保冷体８１を保冷体収納部７２に収納して挟持フラップ１２５を離すと、挟持フラップ１２５が元の位置に戻り、シート状材７１の開放部が閉鎖される。
【００６８】
保冷体８１を保冷体収納部７２に収納して、紙箱本体１４に対して蓋部１５を閉じると、保冷体挿入口３６が蓋部１５の内側となるため、紙箱本体１４に対して蓋部１５を閉じると保冷体挿入口３６は蓋部１５の内側に隠されて外部に露出しないため、紙箱１１の外観体裁を良好とすることができる。
【００６９】
以上説明した本考案の技術的範囲は、上記の実施例に限定されるものではなく、上記実施例の形状に限定されない。本考案の技術的範囲は、本明細書及び図面に記載した事項から明らかになる本考案が真に意図する技術的思想の範囲全体に、広く及ぶものである。
【図面の簡単な説明】
【００７０】
【図１】実施例１に係る保冷体８１収納構造１２を備える紙箱展開形成体１３の平面図。
【図２】実施例１に係る保冷体８１収納構造１２を備える紙箱展開形成体１３の部分拡大平面図。
【図３】紙箱１１を折り畳んだ状態を示す平面図。
【図４】紙箱１１の紙箱本体１４を組み立てた状態の斜視簡略図。
【図５】保冷体収納部７２に保冷体８１を収納した状態を示す斜視簡略図。
【図６】蓋部１５を組み立てた状態を示す斜視簡略図。
【図７】紙箱本体１４に対して蓋部１５を閉じた状態を示す斜視簡略図。
【図８】図４の８―８線における蓋部１５の断面簡略図。
【図９】図７の９―９線における蓋部１５の断面簡略図。
【図１０】実施例２に係る保冷体収納構造１２を備える紙箱展開形成体１３の部分拡大平面図。
【図１１】実施例３に係る保冷体収納構造１２を備える紙箱展開形成体１３の部分拡大平面図。
【図１２】実施例４に係る保冷体収納構造１２を備える紙箱展開形成体１３の部分拡大平面図。
【図１３】実施例５に係る保冷体収納構造１２を備える紙箱展開形成体１３の部分拡大平面図。
【図１４】実施例６に係る保冷体収納構造１２を備える紙箱展開形成体１３の平面図。
【図１５】実施例６に係る紙箱１１を組み立てた状態を示す斜視簡略図。
【符号の説明】
【００７１】
１１    紙箱
１２    紙箱の保冷体収納構造
１３    紙箱展開形成体
１４    紙箱本体
１５    蓋部
２１    底板
２２    前側壁
２３    後側壁
２４    左右側壁
２５    挟持フラップ
２６    側部フラップ
２７    差込フラップ
２８    上部フラップ
２９    支持フラップ
３１    天板部
３２    蓋部左右側壁
３３    蓋部前側壁
３４    折込フラップ
３５    連結フラップ
３６    保冷体挿入口
３７    蓋部内壁
３８    固定用フラップ
３９    突起
４１    前側壁折目線
４２    後側壁折目線
４３    左右側壁折目線
４４    挟持フラップ折目線
４５    側部フラップ折目線
４６    差込フラップ折目線
４７    上部フラップ折目線
４８    側壁折畳用折目線
４９    支持フラップ折目線
５０    固定用フラップ折目線
５１    蓋部連結折目線
５２    蓋部左右側壁折目線
５３    蓋部前側壁折目線
５４    折込フラップ折目線
５５    連結フラップ折目線
５６    折畳折目線
５７    蓋部内壁折目線
５８    ミシン目
６１    連結フラップ固定部
６２    シート状材固定部
６３    蓋部内壁固定部
６４    左右側壁固定部
６５    固定用フラップ固定部
７１    シート状材
７２    保冷体収納部
７３    シート状材取付部
８１    保冷体
【図１】
0003131248.tif 000003
【図２】
0003131248.tif 000004
【図３】
0003131248.tif 000005
【図４】
0003131248.tif 000006
【図５】
0003131248.tif 000007
【図６】
0003131248.tif 000008
【図７】
0003131248.tif 000009
【図８】
0003131248.tif 000010
【図９】
0003131248.tif 000011
【図１０】
0003131248.tif 000012
【図１１】
0003131248.tif 000013
【図１２】
0003131248.tif 000014
【図１３】
0003131248.tif 000015
【図１４】
0003131248.tif 000016
【図１５】
0003131248.tif 000017